【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
機械的エネルギ源と、前記機械的エネルギ源によって駆動されて誘起電力を発生して電気的エネルギを供給する発電機と、前記発電機から供給された電気的エネルギを蓄える蓄電装置と、この蓄電装置から供給された電気的エネルギにより駆動されて前記発電機の回転周期を制御する回転制御装置とを備える電子機器であって、
前記回転制御装置は、
前記発電機に加わるトルクを検出するトルク検出装置と、
前記蓄電装置の電圧を下げる降圧装置と、
前記トルク検出装置で検出されたトルクが設定トルク以上になると、前記降圧装置を作動して蓄電装置の電圧を低下させる電圧制御装置とを備えることを特徴とする電子機器。
【請求項２】
機械的エネルギ源と、前記機械的エネルギ源によって駆動されて誘起電力を発生して電気的エネルギを供給する発電機と、前記発電機から供給された電気的エネルギを蓄える蓄電装置と、この蓄電装置から供給された電気的エネルギにより駆動されて前記発電機の回転周期を制御する回転制御装置とを備える電子機器であって、
前記回転制御装置は、
前記蓄電装置の電圧を検出する電圧検出装置と、
前記発電機に加わるトルクを検出するトルク検出装置と、
前記蓄電装置の電圧を下げる降圧装置と、
前記電圧検出装置で検出された電圧が設定電圧以上の状態で、トルク検出装置で検出されたトルクが設定トルク以上になると、前記降圧装置を作動して蓄電装置の電圧を低下させる電圧制御装置とを備えることを特徴とする電子機器。
【請求項３】
請求項１または請求項２に記載の電子機器において、
前記電圧制御装置は、前記降圧装置の作動により蓄電装置の電圧が予め設定された第２設定電圧以下に低下した場合、または前記トルク検出装置で検出されたトルクが前記設定トルクよりも小さな第２設定トルク以下に低下した場合に、前記降圧装置を停止することを特徴とする電子機器。
【請求項４】
請求項１〜３のいずれかに記載の電子機器において、
前記電圧制御装置は、前記降圧装置が作動されて蓄電装置の電圧が予め設定された第２設定電圧以下に低下した後に、前記トルク検出装置で検出されたトルクが前記設定トルクよりも小さな第２設定トルク以下に低下するまでは、前記降圧装置を作動して蓄電装置の電圧を第２設定電圧に維持する電圧維持制御を行い、
第２設定トルク以下になった場合には、前記降圧装置を停止させて電圧維持制御を解除することを特徴とする電子機器。
【請求項５】
請求項４に記載の電子機器において、
前記電圧制御装置は、トルク検出装置で検出されたトルクが前記設定トルク以上になると、蓄電装置の電圧が第２設定電圧以下に低下するまで常時作動され、
第２設定電圧以下に低下した後は、前記電圧検出装置を一定間隔で作動し、その際に検出された電圧が第２設定電圧以上であれば、電源電圧の電圧が第２設定電圧に低下するまで降圧装置を作動して電圧維持制御を行うことを特徴とする電子機器。
【請求項６】
請求項１〜５のいずれかに記載の電子機器において、
前記電圧検出装置は蓄電装置の出力により駆動されているとともに、降圧装置を停止した際には電圧検出装置も停止するように構成されていることを特徴とする電子機器。
【請求項７】
請求項１〜６のいずれかに記載の電子機器において、
前記回転制御装置は、トルク検出装置で検出されたトルクが前記設定トルク以上になるまでは、前記電圧検出装置を停止していることを特徴とする電子機器。
【請求項８】
請求項１〜７のいずれかに記載の電子機器において、
前記降圧装置は、前記蓄電装置と並列に接続されたバイパス回路と、当該バイパス回路に設けられたバイパス回路用スイッチとを備えて構成され、
前記電圧制御装置は、前記蓄電装置の電圧を低下させる場合には、前記バイパス回路用スイッチを接続し、バイパス回路に電流を流して前記蓄電装置の電圧を低下させ、
蓄電装置の電圧低下を停止する場合には、前記バイパス回路用スイッチを切断するように構成されていることを特徴とする電子機器。
【請求項９】
請求項８に記載の電子機器において、
前記電圧検出装置は、前記バイパス回路内に組み込まれた電圧検出用抵抗を備えており、
前記降圧装置は、前記バイパス回路用スイッチを接続してバイパス回路に電流を流し、前記電圧検出用抵抗を介して放電させることで蓄電装置の電圧を降圧させるように構成されていることを特徴とする電子機器。
【請求項１０】
請求項１〜９のいずれかに記載の電子機器において、
前記トルク検出装置は、発電機の回転検出信号および基準信号の一方がアップカウント信号として入力され、他方がダウンカウント信号として入力されるアップダウンカウンタを備え、このアップダウンカウンタの値によって発電機に加わるトルクの大きさを判断するように構成されていることを特徴とする電子機器。
【請求項１１】
請求項１〜１０のいずれかに記載の電子機器において、
前記回転制御装置は、前記電圧検出装置で検出される蓄電装置の電圧が前記第２設定電圧よりも高い第３設定電圧以上であった場合には、電源電圧の電圧が第３設定電圧以下に低下するまで降圧装置を作動する過充電防止装置を備えていることを特徴とする電子機器。
【請求項１２】
機械的エネルギ源と、前記機械的エネルギ源によって駆動されて誘起電力を発生して電気的エネルギを供給する発電機と、前記発電機から供給された電気的エネルギを蓄える蓄電装置と、この蓄電装置から供給された電気的エネルギにより駆動されて前記発電機の回転周期を制御する回転制御装置と、前記発電機の回転に連動して作動される時刻表示装置とを備える電子制御式機械時計であって、
前記回転制御装置は、
前記発電機に加わるトルクを検出するトルク検出装置と、
前記蓄電装置の電圧を下げる降圧装置と、
前記トルク検出装置で検出されたトルクが設定トルク以上になると、前記降圧装置を作動して蓄電装置の電圧を低下させる電圧制御装置とを備えることを特徴とする電子制御式機械時計。
【請求項１３】
機械的エネルギ源と、前記機械的エネルギ源によって駆動されて誘起電力を発生して電気的エネルギを供給する発電機と、前記発電機から供給された電気的エネルギを蓄える蓄電装置と、この蓄電装置から供給された電気的エネルギにより駆動されて前記発電機の回転周期を制御する回転制御装置と、前記発電機の回転に連動して作動される時刻表示装置とを備える電子制御式機械時計であって、
前記回転制御装置は、
前記蓄電装置の電圧を検出する電圧検出装置と、
前記発電機に加わるトルクを検出するトルク検出装置と、
前記蓄電装置の電圧を下げる降圧装置と、
前記電圧検出装置で検出された電圧が設定電圧以上の状態で、トルク検出装置で検出されたトルクが設定トルク以上になると、前記降圧装置を作動して蓄電装置の電圧を低下させる電圧制御装置とを備えることを特徴とする電子制御式機械時計。
【請求項１４】
機械的エネルギ源と、前記機械的エネルギ源によって駆動されて誘起電力を発生して電気的エネルギを供給する発電機と、前記発電機から供給された電気的エネルギを蓄える蓄電装置と、この蓄電装置から供給された電気的エネルギにより駆動されて前記発電機の回転周期を制御する回転制御装置とを備える電子機器の制御方法であって、
前記発電機に加わるトルクが設定トルク以上になった場合に、降圧装置を作動して蓄電装置の電圧を低下させることを特徴とする電子機器の制御方法。
【請求項１５】
機械的エネルギ源と、前記機械的エネルギ源によって駆動されて誘起電力を発生して電気的エネルギを供給する発電機と、前記発電機から供給された電気的エネルギを蓄える蓄電装置と、この蓄電装置から供給された電気的エネルギにより駆動されて前記発電機の回転周期を制御する回転制御装置とを備える電子機器の制御方法であって、
前記蓄電装置の電圧が設定電圧以上の状態で、発電機に加わるトルクが設定トルク以上になった場合に、降圧装置を作動して蓄電装置の電圧を低下させることを特徴とする電子機器の制御方法。